(57)【特許請求の範囲】
【請求項１】
身体に外から沿うように曲がった可撓性を有する線状フレームと、線状フレームを通す貫通孔を設けることにより線状フレームに対してスライド又は回転可能に取り付けられたパッドを有することを特徴とする側彎矯正装具。
【発明の詳細な説明】
【技術分野】
【０００１】
この発明は、脊柱の変形および回旋の治療を目的とした側彎症の矯正に用いられる装具に関するものである。
【背景技術】
【０００２】
従来の側彎矯正装具としては、非特許文献１に記載のミルウォーキー型、アンダーアーム型がある。ミルウォーキー型は、着用者の腰周りに接する硬質プラスチック製の骨盤帯と、骨盤帯の前方及び後方にそれぞれ固定された上方に延びる金属製の支柱と、支柱の上端に設けられたネックリングを有し、さらに支柱に圧迫矯正を行うためのパッドを設けたものである。アンダーアーム型は、ミルウォーキー型を基本としたもので、前後の支柱を取り除き、骨盤帯の側方部分を上方に延ばして圧迫矯正を行うようにしたものとなっている。
【０００３】
これら従来の側彎矯正装具は、骨盤帯や支柱が硬質なものであるため、装着すると心地が悪く感じられることが多く、特に身体を動かすときに支障となる場合がある。また、パッドの位置が固定されているため、圧迫矯正する位置を調整することが困難であった。
【非特許文献１】社団法人日本義肢協会「靴型装具・体幹装具」、インターネット＜ＵＲＬ：http://www.j-opa.or.jp/intro-o/shoe-trnk.pdf＞
【発明の開示】
【発明が解決しようとする課題】
【０００４】
そこで、この発明は、装着心地を良くすることができ、また、パッドの位置を調整することが可能な側彎矯正装具を提供することを課題とする。
【課題を解決するための手段】
【０００５】
前記課題を解決するため、この発明は次のような技術的手段を講じている。
【０００６】
この発明の側彎矯正装具は、身体に外から沿うように曲がった可撓性を有する線状フレームと、線状フレームを通す貫通孔を設けることにより線状フレームに対してスライド又は回転可能に取り付けられたパッドを有するものとしている。
【０００７】
また、３つのパッドを有し、そのうち少なくとも１つのパッドが線状フレームに対して可動であるものとすることができる。
【０００８】
さらに、線状フレームが環状になったものとすることができる。
【発明の効果】
【０００９】
この発明の側彎矯正装具は、上述のような構成を有しており、線状フレームが硬直的でなく、撓むことができるようになっているので、装着心地を良くすることができる。
【００１０】
また、パッドが可動であれば、パッドにより圧迫矯正する位置を調整することができるようになる。
【発明を実施するための最良の形態】
【００１１】
以下、この発明の好適な実施形態を、図面を参照して説明する。
【００１２】
〔第１実施形態〕
図１はこの発明の第１実施形態の側彎矯正装具の斜視図、図２は線状フレーム１の斜視図、図３は側彎矯正装具の装着状態の斜視図（正面側）、図４は同斜視図（背中側）、図５はリブハンプ（肋骨隆起）の箇所付近に当たるパッド２付近の拡大斜視図、図６はわき下に当たるパッド３付近の拡大斜視図である。
【００１３】
この側彎矯正装具は、身体に沿うように曲がった可撓性を有する線状フレーム１と、線状フレーム１に取り付けられたパッド２，３，４を有するものとしている。
【００１４】
線状フレーム１の形態は、曲がった棒状（中空のパイプ状も含む）で、直線状の部分があってもよい。断面形状や太さは特に限定されないが、持ちやすく、身体に装着しても負担とならないような形状、重さとすることが望ましい。線状フレーム１は、個々の着用者の体型に応じて個別に作製するとよいが、ある程度体型や症状の近い装着者に汎用的に使用できるように作製してもよい。
【００１５】
線状フレーム１は、可撓性を有する材質からなるもので、プラスチック、ゴム、金属製とすることができるが、特にポリカーボネートのような軽量、かつ曲げても破損しにくいものを用いることが望ましい。金属製とする場合は、アルミニウムのような軽量で、かつレントゲン透過性のあるものを使用することが望ましい。線状フレーム１は複数の部材を連結してなるものとしてもよく、全長にわたって同一の素材で一体形成されたものに限られない。
【００１６】
また、線状フレーム１は環状、すなわち一端と他端が接続された１個のものとすることができる。環状とした線状フレーム１は、特定箇所に応力が集中しにくい耐久性の高いものとなり、また、一端又は他端のとがった箇所に皮膚が接触して怪我をするようなことも防止できる。
【００１７】
この実施形態における線状フレーム１は、直径１ｃｍ程度の断面円形の１本のポリカーボネート製の丸棒を加熱して曲げ、両端を短いパイプ状の連結材５に差し込んで連結することにより、図２に示したような環状に形成している。
【００１８】
この線状フレーム１は、装着者の胴部の右半身側から装着できるように曲がった形状としており、身体の正面側及び背中側において、それぞれ湾曲状に延びる部分１ａ，１ｂ、身体の右半身側においてわき下を通る部分１ｃ及び腰付近を通る部分１ｄを有している。
【００１９】
パッド２，３，４は、装着者の身体（ないし下着等の着衣）に当たるものであり、複数設けられている。この実施形態の側彎矯正装具は、３つのパッド２，３，４を有しており、リブハンプ（肋骨隆起）の箇所付近に当たるようにしたもの（以下、「圧迫矯正用のパッド」という）と、リブハンプから離れた箇所に設けられ、側彎矯正装具の身体への固定状態を維持するためのもの（以下、「支持用のパッド」という）とがある。圧迫矯正用のパッドは、着用者のリブハンプの箇所付近に適切に当たるように設け、支持用のパッドは、リブハンプのある側と反対側のわき下や腰に当たるように設けるとよい。
【００２０】
この実施形態では、装着者の左半身側のリブハンプの箇所付近に位置するパッド２を圧迫矯正用とし、右半身側のわき下に位置するパッド３と、右半身側の腰付近に位置するパッド４を支持用としている。
【００２１】
パッドは、その一端部を曲げてリベットや接着剤等で固定することにより、線状フレーム１を通す貫通孔１０を一端に形成したものとすることができる（パッド２）。貫通孔１０を形成した部分には、図示したように孔を形成して、線状フレームとの摩擦の度合いを調整することができる。
【００２２】
また、パッドは、装着者の身体に当たるパッド本体部６と、パッド本体部６を線状フレーム１に取り付けるための取付部７からなるものとすることができる（パッド３，４）。パッド本体部６は、パッドの形状を保つために適度の硬度を有する外側部材８と、外側部材８の内面側に接着されたウレタンフォーム等の低反発性のクッション材９からなるものとすることができる。
【００２３】
パッド本体部６の形状は、当接する身体の部分に応じて適宜の形状とすればよい。取付部７は、パッド本体部６にリベットや接着剤等で取り付けられるようにした比較的小さい片であり、外側部材８との間に線状フレーム１を通す貫通孔１０を形成するようにしている。取付部７における貫通孔１０を形成した部分にも、図示したように孔を形成することができる。
【００２４】
この側彎矯正装具は、前記３つのパッド２，３，４により、３点で身体に接触し、安定した装着状態を得ることができる。パッド２，３，４は、線状フレーム１に対して完全に固定されたものではなく、スライドあるいは回転する等、可動なものとすることができる。パッド２，３，４が可動であれば、装着者の体型や姿勢に応じてパッド２，３，４を動かすことにより、パッド２，３，４の位置や当たり具合を調整することができる。なお、複数のパッド２，３，４のすべてが可動である必要はなく、１つのパッドのみ可動であってもよい。
【００２５】
この実施形態では、パッド２，３，４は、それぞれ線状フレーム１の軸方向に対してスライド可能、かつ軸周りに回転可能となっており、各パッドが身体に当たる位置や角度を調整することが可能となっている。
【００２６】
また、線状フレーム１には、その一部の周囲を取り巻くようにした筒状パッド１１を設けることができる。筒状パッド１１は、適宜の厚みを有するウレタンフォーム等の低反発性のクッション材からなるものとすることができる。筒状パッド１１は、図１等にあらわれているように、スライド可能なパッド２の両側にそれぞれ適宜間隔で配置し、パッド２の移動範囲を制限することができる。
【００２７】
なお、この実施形態における圧迫矯正用のパッド２は、貫通孔１０を形成した一端から自由端とした他端までの長さが比較的長い板状であり、そして、前記他端にはベルト通し１２が設けられており、反対側（装着者の右半身側）の同じ高さの位置に線状フレーム１に設けられた取付部材１３を介して設けられたベルト１４を通すことにより、パッド２がしっかりとリブハンプに当たるようにしている。前記ベルト１４は、ベルト通し１２で折り曲げられることにより対向する面が、互いに係着する面ファスナーとなっている。
【００２８】
また、この側彎矯正装具は、ベルト１４を前述とは別の箇所にも設けたものとすることができる。ベルト１４は、正面側の線状フレーム１又はパッド２，３，４のいずれかの部分と背中側の線状フレーム１又はパッド２，３，４のいずれかの部分との間に掛け渡され、装着者の身体の線状フレーム１が位置しない側に当たるようにするとよい。この実施形態では、ベルト１４は、その一端が前記右半身側の腰付近に位置するパッド４の正面側端部に固定され、他端は自由端で、面ファスナーにより前記パッド４の背中側端部に着脱可能としている。このベルト１４により、側彎矯正装具の装着者の身体への装着状態は、より安定したものとなる。
【００２９】
線状フレーム１及び各パッドは、レントゲン透過性を有するものであれば、装着者の身体をレントゲン撮影した際、脊柱の状態の確認の邪魔とならない。なお、線状フレーム１及び各パッドのレントゲン透過性は、レントゲン写真において、ある程度その形状が見える程度とするとよい。このようにすれば、線状フレーム１及び各パッドと身体との接触状況に問題がないか確認することができる。
【００３０】
〔第２実施形態〕
図７は、この発明の第２実施形態の側彎矯正装具の装着状態の斜視図である。この側彎矯正装具は、基本的な構成は第１実施形態と同様であるが、１つのパッド（身体の正面側の略中央に位置するパッド１５）を細長く形成し、その両端部にそれぞれベルト通し１２を設けている。
【００３１】
各ベルト通し１２には、線状フレーム１の身体の背中側において延びる部分（図示せず）に取り付けられたリブハンプの箇所付近に位置するパッド１６に一端が固定された２本のベルト１４を通すことができる。各ベルト１４は、各ベルト通し１２で折り返されて対向する互いの面が、面ファスナーにより係着するようになっている。これらのベルト１４により、前記パッド１６は押さえ付けられ、リブハンプの箇所付近が圧迫矯正される。
【００３２】
〔第３実施形態〕
図８は、この発明の第３実施形態の側彎矯正装具の装着状態の斜視図である。この側彎矯正装具は、基本的な構成は第１実施形態と同様であるが、装着者の身体の正面側の略中央より左半身側寄りの位置から右半身側に臨むパッド１７と、左半身側において正面側から背中側に延びるパッド１８が、筒状パッド１１を介して連結された構成としている。
【００３３】
前記両パッド３，４の線状フレーム１を通す貫通孔１０のある部分は、対向する各端部１９が、筒状パッド１１が嵌合する大きさに拡径したものとなっている。
【００３４】
〔第４実施形態〕
図９は、この発明の第４実施形態の側彎矯正装具の装着状態の斜視図である。この側彎矯正装具は、基本的な構成は第１実施形態と同様であるが、線状フレーム１の一部１ｄがコイルスプリング状となったものとしている。
【００３５】
コイルスプリング状部分１ｄは、金属製でばね性があり、筒状パッド１１内において、直線状とした一端と他端が、それぞれ線状フレーム１のプラスチック製の他の部分に接続している。コイルスプリング状部分１ｄの一端と他端は、外力がかからない状態で所定の角度で開いているが、この角度は装着者の体勢に応じてある程度変化するようになっている。
【００３６】
また、コイルスプリング状部分１ｄには、リブハンプの箇所付近に当たるパッド２０に固定された通し具２１が通されており、これによってコイルスプリング状部分１ｄが前記一端及び他端の反対側に引っ張られ、前記パッド２０による圧迫強制が適切に行われるようにしている。
【００３７】
〔第５実施形態〕
図１０は、この発明の第５実施形態の側彎矯正装具の装着状態の斜視図である。この側彎矯正装具は、第４実施形態と同様に線状フレーム１の一部１ｄがコイルスプリング状となったものであるが、コイルスプリング状部分１ｄの一端と他端が、それぞれ直角に曲がったパイプ状部を有する継ぎ手１８を介して、線状フレーム１の他の部分と接続されている。また、継ぎ手１８は身体に接触する内面側がクッション性のあるパッドとなっている。
【００３８】
さらに、コイルスプリング状部分１ｄの一端と他端には、所定の角度以上に開くことを防止する角度制限部材２２が設けられている。この角度制限部材２２は、細長いプレート状で、コイルスプリング状部分１ｄの一端と他端を通すための孔が設けられたものとしている。この構成により、コイルスプリング状部分１ｄは所定の角度以上に開くことが防止され、適切な装着状態を維持することができる。
【００３９】
以上、この発明の第１〜５実施形態の側彎矯正装具は、いずれも線状フレーム１が硬直的でなく、撓むことができるようになっているので、装着心地が良い。また、各パッドの位置を調整することにより、圧迫矯正する位置を調整することができる。さらに、従来のミルウォーキー型やアンダーアーム型の側彎矯正装具に比べて軽量でコンパクトであり取り扱いやすく、身体に接触する面積も小さいので、蒸れたり、違和感を感じたりすることも少ない。
【００４０】
なお、この発明は、前述の実施形態に限定されるものではなく、素材、形状、寸法等を適宜変更することができる。
【図面の簡単な説明】
【００４１】
【図１】この発明の第１実施形態の側彎矯正装具の斜視図である。
【図２】この発明の第１実施形態の側彎矯正装具の線状フレームの斜視図である。
【図３】この発明の第１実施形態の側彎矯正装具の装着状態の斜視図（正面側）である。
【図４】この発明の第１実施形態の側彎矯正装具の装着状態の斜視図（背中側）である。
【図５】この発明の第１実施形態の側彎矯正装具の、リブハンプ（肋骨隆起）の箇所付近に当たるパッド付近の拡大斜視図である。
【図６】この発明の第１実施形態の側彎矯正装具の、わき下に当たるパッド付近の拡大斜視図である。
【図７】この発明の第２実施形態の側彎矯正装具の装着状態の斜視図である。
【図８】この発明の第３実施形態の側彎矯正装具の装着状態の斜視図である。
【図９】この発明の第４実施形態の側彎矯正装具の装着状態の斜視図である。
【図１０】この発明の第５実施形態の側彎矯正装具の装着状態の斜視図である。
【符号の説明】
【００４２】
１  線状フレーム
２，３，４，１５，１６，１７，１８，２０  パッド  
【図１】
0004747327.tif 000002
【図２】
0004747327.tif 000003
【図３】
0004747327.tif 000004
【図４】
0004747327.tif 000005
【図５】
0004747327.tif 000006
【図６】
0004747327.tif 000007
【図７】
0004747327.tif 000008
【図８】
0004747327.tif 000009
【図９】
0004747327.tif 000010
【図１０】
0004747327.tif 000011